(57)【特許請求の範囲】
【請求項１】
現像剤像を保持する像保持体と、
転写電圧が印加されることにより前記像保持体に保持された現像剤像を記録媒体に転写する転写部と、
前記転写部に記録媒体を搬送する搬送部と、
前記転写部により第一の面に現像剤像が転写された後、第一の面とは反対の第二の面に現像剤像が転写されるように前記搬送部に向けて記録媒体を反転させる反転路と、
前記転写部に印加する負電圧を制御する電圧制御部と、
を有し、
前記電圧制御部は、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する画像形成装置。
【請求項２】
前記電圧制御部は、記録媒体の第二の面の余白部分の範囲において、記録媒体の搬送方向先端部分が前記転写部に搬送されたときに印加する電圧と前記第二の転写電圧とを切り換えるように制御する請求項１記載の画像形成装置。
【請求項３】
記録媒体の第二の面に対する前記第二の転写電圧に関する情報を受け付ける操作部、
をさらに有し、
前記電圧制御部は、前記操作部の受け付けた情報に基づいて、記録媒体の第二の面に印加する前記第二の転写電圧を制御する請求項１又は２に記載の画像形成装置。
【請求項４】
前記電圧制御部は、記録媒体の特性に基づいて記録媒体の第二の面に印加する前記第二の転写電圧を制御する請求項１乃至３いずれか記載の画像形成装置。
【請求項５】
前記電圧制御部は、記録媒体の特性が転写電圧を印加した場合に前記像保持体から剥離し難いものであるとき、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する請求項４記載の画像形成装置。
【請求項６】
記録媒体の抵抗を検出する抵抗検出部、
をさらに有し、
前記電圧制御部は、前記抵抗検出部の検出結果に基づいて記録媒体の第二の面に印加する前記第二の転写電圧を制御する請求項４記載の画像形成装置。
【請求項７】
前記電圧制御部は、前記抵抗検出部の検出結果、記録媒体の抵抗が予め定められた値よりも大きい場合に、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する請求項４記載の画像形成装置。
【請求項８】
環境状態を検出する環境検出部、
をさらに有し、
前記電圧制御部は、前記環境検出部の検出結果に基づいて記録媒体の第二の面に印加する前記第二の転写電圧を制御する請求項１乃至３いずれか記載の画像形成装置。
【請求項９】
前記電圧制御部は、前記環境検出部の検出結果、転写電圧を印加した場合に記録媒体が前記像保持体から剥離し難い環境状態であるとき、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する請求項８記載の画像形成装置。
【請求項１０】
前記転写部を通過した後の記録媒体の状態を検出する状態検出部、
をさらに有し、
前記電圧制御部は、前記状態検出部の検出結果に基づいて記録媒体の第二の面に印加する前記第二の転写電圧を制御する請求項１乃至３いずれか記載の画像形成装置。
【請求項１１】
前記電圧制御部は、前記状態検出部の検出結果、前記転写部を通過した後の前記像保持体からの記録媒体の剥離度合が小さい状態である場合、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する請求項１０記載の画像形成装置。
【請求項１２】
記録媒体に印刷される画像の画素数を検出する画素数検出部、
をさらに有し、
前記電圧制御部は、前記画素数検出部の検出結果に基づいて記録媒体の第二の面に印加する前記第二の転写電圧を制御する請求項１乃至３いずれか記載の画像形成装置。
【請求項１３】
前記電圧制御部は、前記画素数検出部の検出結果、記録媒体の第二の面に印刷される画素数が転写不良を生じ難いものである場合に、記録媒体の第一の面が前記転写部に搬送される前に、前記転写部に記録媒体を静電吸着する第一の転写電圧の印加を開始し、第二の面の記録媒体の搬送方向先端部分が前記転写部に搬送される前に、前記第一の転写電圧よりも小さい電圧の印加を開始し、該記録媒体の搬送方向先端部分が前記転写部を通過すると、前記第一の転写電圧よりも大きい第二の転写電圧の印加を開始するように制御する請求項１２記載の画像形成装置。
【発明の詳細な説明】
【技術分野】
【０００１】
本発明は、画像形成装置に関する。
【背景技術】
【０００２】
特許文献１には、顕像を形成、担持する感光体と、感光体で形成されたトナー像を担持する中間転写ベルト及び記録媒体へ中間転写ベルトに形成されたトナー像を記録媒体に転写させる転写装置であり、記録媒体先端が中間転写ベルトと転写装置の接触部を通過直後にトナー像を記録媒体へ転写するためのバイアス印加を開始する電子写真装置の転写装置が開示されている。
【０００３】
特許文献２には、転写ベルトに印加する転写バイアスを、被転写体上の当該被転写体の搬送方向の先端から、画像形成領域内の一定範囲までの間、通常値よりも低いトナー像の転写に要する最低出力値に抑制する画像形成装置が開示されている。
【０００４】
特許文献３には、転写材先端部の先端側0.6 mm程、二次転写バイアスを印加しない部分を設け、転写材先端部が転写ドラムに吸着されないようにする画像形成装置が開示されている。
【先行技術文献】
【特許文献】
【０００５】
【特許文献１】特開２００６−１８４４５５号公報
【特許文献２】特開２００５−０７７６９６号公報
【特許文献３】特開平１０−２４００３２号公報
【発明の概要】
【発明が解決しようとする課題】
【０００６】
本発明は、像保持体に対する記録媒体の剥離不良を抑制しつつ、記録媒体の裏面汚れを抑制することができる画像形成装置を提供することを目的とする。
【課題を解決するための手段】
【０００７】
請求項１に係る本発明は、現像剤像を保持する像保持体と、転写電圧が印加されることにより前記像保持体に保持された現像剤像を記録媒体に転写する転写部と、前記転写部に記録媒体を搬送する搬送部と、前記転写部により第一の面に現像剤像が転写された後、第一の面とは反対の第二の面に現像剤像が転写されるように前記搬送部に向けて記録媒体を反転させる反転路と、前記転写部に印加する電圧を制御する電圧制御部と、を有し、前記電圧制御部は、記録媒体の第二の面に対する転写電圧の印加を開始する時機が、第一の面に対する転写電圧の印加を開始する時機よりも遅くなるように制御する画像形成装置である。
【０００８】
請求項２に係る本発明は、前記電圧制御部は、記録媒体の第二の面に転写する場合に、記録媒体の搬送方向先端部分が前記転写部に搬送されたとき前記転写部に記録媒体を静電吸着する電圧よりも小さい電圧を印加し、記録媒体の搬送方向先端部分よりも後端側が前記転写部に搬送されたとき前記転写部に対する転写電圧の印加を開始するように制御する請求項１記載の画像形成装置である。
【０００９】
請求項３に係る本発明は、前記電圧制御部は、記録媒体の第二の面の余白部分の範囲において、記録媒体の搬送方向先端部分が前記転写部に搬送されたときに印加する電圧と転写電圧とを切り換えるように制御する請求項２記載の画像形成装置である。
【００１０】
請求項４に係る本発明は、記録媒体の第二の面に対する転写電圧に関する情報を受け付ける操作部、をさらに有し、前記電圧制御部は、前記操作部の受け付けた情報に基づいて、記録媒体の第二の面に印加する転写電圧を制御する請求項１乃至３いずれか記載の画像形成装置である。
【００１１】
請求項５に係る本発明は、前記電圧制御部は、記録媒体の特性に基づいて記録媒体の第二の面に印加する転写電圧を制御する請求項１乃至４いずれか記載の画像形成装置である。
【００１２】
請求項６に係る本発明は、前記電圧制御部は、記録媒体の特性が転写電圧を印加した場合に前記像保持体から剥離し難いものであるとき、記録媒体の第二の面に対する転写電圧の印加を開始する時機が、第一の面に対する転写電圧の印加を開始する時機よりも遅くなるように制御する請求項５記載の画像形成装置である。
【００１３】
請求項７に係る本発明は、記録媒体の抵抗を検出する抵抗検出部、をさらに有し、前記電圧制御部は、前記抵抗検出部の検出結果に基づいて記録媒体の第二の面に印加する転写電圧を制御する請求項５記載の画像形成装置である。
【００１４】
請求項８に係る本発明は、前記電圧制御部は、前記抵抗検出部の検出結果、記録媒体の抵抗が予め定められた値よりも大きい場合に、記録媒体の第二の面に対する転写電圧の印加を開始する時機が、第一の面に対する転写電圧の印加を開始する時機よりも遅くなるように制御する請求項５記載の画像形成装置である。
【００１５】
請求項９に係る本発明は、環境状態を検出する環境検出部、をさらに有し、前記電圧制御部は、前記環境検出部の検出結果に基づいて記録媒体の第二の面に印加する転写電圧を制御する請求項１乃至４いずれか記載の画像形成装置である。
【００１６】
請求項１０に係る本発明は、前記電圧制御部は、前記環境検出部の検出結果、転写電圧を印加した場合に記録媒体が前記像保持体から剥離し難い環境状態であるとき、記録媒体の第二の面に対する転写電圧の印加を開始する時機が、第一の面に対する転写電圧の印加を開始する時機よりも遅くなるように制御する請求項９記載の画像形成装置である。
【００１７】
請求項１１に係る本発明は、前記転写部を通過した後の記録媒体の状態を検出する状態検出部、をさらに有し、前記電圧制御部は、前記状態検出部の検出結果に基づいて記録媒体の第二の面に印加する転写電圧を制御する請求項１乃至４いずれか記載の画像形成装置である。
【００１８】
請求項１２に係る本発明は、前記電圧制御部は、前記状態検出部の検出結果、前記転写部を通過した後の前記像保持体からの記録媒体の剥離度合が小さい状態である場合、記録媒体の第二の面に対する転写電圧の印加を開始する時機が、第一の面に対する転写電圧の印加を開始する時機よりも遅くなるように制御する請求項１１記載の画像形成装置である。
【００１９】
請求項１３に係る本発明は、記録媒体に印刷される画像の画素数を検出する画素数検出部、をさらに有し、前記電圧制御部は、前記画素数検出部の検出結果に基づいて記録媒体の第二の面に印加する転写電圧を制御する請求項１乃至４いずれか記載の画像形成装置である。
【００２０】
請求項１４に係る本発明は、前記電圧制御部は、前記画素数検出部の検出結果、記録媒体の第二の面に印刷される画素数が転写不良を生じ難いものである場合に、記録媒体の第二の面に対する転写電圧の印加を開始する時機が、第一の面に対する転写電圧の印加を開始する時機よりも遅くなるように制御する請求項１３記載の画像形成装置。
【発明の効果】
【００２１】
請求項１に係る本発明によれば、像保持体に対する記録媒体の剥離不良を抑制しつつ、記録媒体の裏面汚れを抑制することができる。
【００２２】
請求項２に係る本発明によれば、請求項１に係る発明の効果に加えて、記録媒体の像保持体とは反対側の面に現像剤が飛散することを防止することができる。
【００２３】
請求項３に係る本発明によれば、請求項２に係る発明の効果に加えて、本構成を有していない場合と比較して、より画像転写不良を抑制することができる。
【００２４】
請求項４に係る本発明によれば、請求項１乃至３いずれかに係る発明の効果に加えて、本構成を有さない場合と比較して、操作者の判断に応じて記録媒体の第二の面に印加する転写電圧について微調整することができる。
【００２５】
請求項５に係る本発明によれば、請求項１乃至４いずれかに係る発明の効果に加えて、本構成を有さない場合と比較して、より細かく、記録媒体の第二の面に印加する転写電圧について調整することができる。
【００２６】
請求項６に係る本発明によれば、請求項５に係る発明の効果に加えて、本構成を有さない場合と比較して、より効果的に、像保持体に対する記録媒体の剥離不良を抑制しつつ、画像転写不良を抑制することができる。
【００２７】
請求項７に係る本発明によれば、請求項５に係る発明の効果に加えて、本構成を有さない場合と比較して、より効果的に、像保持体に対する記録媒体の剥離不良を抑制しつつ、画像転写不良を抑制することができる。
【００２８】
請求項８に係る本発明によれば、請求項７に係る発明の効果に加えて、本構成を有さない場合と比較して、より効果的に、像保持体に対する記録媒体の剥離不良を抑制しつつ、画像転写不良を抑制することができる。
【００２９】
請求項９に係る本発明によれば、請求項１乃至４いずれかに係る発明の効果に加えて、本構成を有さない場合と比較して、より細かく、記録媒体の第二の面に印加する転写電圧について調整することができる。
【００３０】
請求項１０に係る本発明によれば、請求項９に係る発明の効果に加えて、本構成を有さない場合と比較して、より効果的に、像保持体に対する記録媒体の剥離不良を抑制しつつ、画像転写不良を抑制することができる。
【００３１】
請求項１１に係る本発明によれば、請求項１乃至４いずれかに係る発明の効果に加えて、本構成を有さない場合と比較して、より細かく、記録媒体の第二の面に印加する転写電圧について調整することができる。
【００３２】
請求項１２に係る本発明によれば、請求項１１に係る発明の効果に加えて、本構成を有さない場合と比較して、より効果的に、像保持体に対する記録媒体の剥離不良を抑制しつつ、画像転写不良を抑制することができる。
【００３３】
請求項１３に係る本発明によれば、請求項１乃至４いずれかに係る発明の効果に加えて、本構成を有さない場合と比較して、より細かく、記録媒体の第二の面に印加する転写電圧について調整することができる。
【００３４】
請求項１４に係る本発明によれば、請求項１３に係る発明の効果に加えて、本構成を有さない場合と比較して、より効果的に、像保持体に対する記録媒体の剥離不良を抑制しつつ、画像転写不良を抑制することができる。
【図面の簡単な説明】
【００３５】
【図１】本発明の一実施形態が適用される画像形成装置の概略図である。
【図２】本発明の一実施形態が適用される転写部周辺の概略図である。
【図３】本発明の一実施形態が適用される転写部６４の機能構成のブロック図である。
【図４】本発明の一実施形態が適用される転写部材に印加される電圧及びその時機を説明する説明図である。
【図５】第二実施形態に係る転写部周辺の側面からの概略図である。
【図６】第二実施形態に係る転写部周辺の案内部材側からの概略図である。
【発明を実施するための形態】
【００３６】
［第一実施形態］
本発明の実施形態について図面を参照して説明する。
図１は、本発明の一実施形態としての画像形成装置１０の概略図を示す。
【００３７】
画像形成装置１０は、制御部２と、画像処理部４と、画素数検出部６とを有する。
制御部２は、画像形成装置１０全体の動作を制御する。
画像処理部４は、例えばパーソナルコンピュータ（PC）や画像読取装置等（非図示）から入力される画像情報に対して、必要に応じて、シェーディング補正、位置ズレ補正、明度/色空間変換、ガンマ補正、枠消し、色/移動編集等の予め定められた画像処理を施す。
画素数検出部６は、入力される画像情報に基づいて、記録媒体に形成される画像の画素数を検出する（ピクセルカウンタ）。
【００３８】
画像形成装置１０は、画像形成装置本体１２を有する。
画像形成装置本体１２の前側（図１において右側）には、操作者の操作を受け付ける操作部８が設けられている。操作部８は、例えば、画像形成する記録媒体の枚数を入力するテンキーや、転写電圧に関する情報を入力する押圧部、画像形成を開始する際に操作される開始ボタン等を有する。
【００３９】
画像形成装置本体１２の上側の面は、画像の形成された記録媒体が排出される排出部１４として用いられる。
画像形成装置本体１２内には、記録媒体に転写する画像を形成する画像形成部２０と、この画像形成部２０に記録媒体を供給する記録媒体供給装置２２と、この記録媒体供給装置２２から供給された記録媒体を排出部１４まで搬送する搬送路２４が設けられている。
【００４０】
画像形成部２０は、例えば、イエロー（Ｙ）、マゼンタ（Ｍ）、シアン（Ｃ）、黒（Ｋ）の４色に対応する画像形成装置３０Ｙ、３０Ｍ、３０Ｃ、３０Ｋと、潜像形成装置として用いられる光書き込み装置３２と、転写装置３４とにより構成される。
画像形成装置３０Ｙ、３０Ｍ、３０Ｃ、３０Ｋ及びこれらの構成要素は、形成する画像の色以外は同様に構成されている。以下、各色に対応する構成については、Ｙ、Ｍ、Ｃ、Ｋを省略して「画像形成装置３０」等のように総称して記載する場合がある。
【００４１】
画像形成装置３０は、画像形成装置本体１２の後側（図１における左側）から順に、画像形成装置３０Ｙ、３０Ｍ、３０Ｃ、３０Ｋの順に並べられている。
【００４２】
画像形成装置３０は、例えばカラー画像を形成する電子写真方式のものである。
画像形成装置３０はそれぞれ、現像剤像を担持する像担持体として用いられるドラム形状の感光体４２と、この感光体４２を一様に帯電する帯電ロールを備えた帯電手段として用いられる帯電装置４４と、感光体４２に書き込まれた潜像を現像剤（トナー）で現像する現像器４６と、感光体４２に残留する廃現像剤を、例えば掻き取って清掃（クリーニング）する清掃装置４８とを有する。
【００４３】
現像器４６は、それぞれが収納するＹ、Ｍ、Ｃ、Ｋの現像剤を用いて、対応する感光体４２Ｙ、４２Ｍ、４２Ｃ、４２Ｋに形成された潜像を現像する。
【００４４】
光書き込み装置３２は、感光体４２それぞれに対して光を照射して、これら感光体４２それぞれの表面に潜像を形成する。
【００４５】
転写装置３４は、転写体として用いられる中間転写体５２と、一次転写装置として用いられる一次転写ロール５４Ｙ、５４Ｍ、５４Ｃ、５４Ｋと、二次転写装置として用いられる二次転写ロール５６と、中間転写体清掃装置５８と、を有する。
【００４６】
中間転写体５２は、例えば無端状のベルト形状であり、二次転写ロール５６に対向する転写部材６０と、４つの支持ロール６２ａ、６２ｂ、６２ｃ、６２ｄとによって、図１に矢印で示す方向に回転自在に支持されている。
転写部材６０、支持ロール６２ａ、６２ｂ、６２ｃ、６２ｄのうち少なくとも一つはモータ（不図示）に連結されており、このモータからの駆動伝達を受けて回転することで、中間転写体５２を回転駆動させるようになっている。
【００４７】
転写部材６０は、二次転写ロール５６による二次転写のバックアップロールとして機能する。二次転写ロール５６と転写部材６０とによって転写部６４が構成され、これら二次転写ロール５６と転写部材６０とで挟まれる部分（ニップ部分）が二次転写位置となる。
【００４８】
転写部６４の搬送方向下流側には、転写によって帯電された記録媒体を除電する除電装置６６が設けられている。
除電装置６６の搬送方向下流側には、転写部６４により転写された記録媒体を後述する定着装置８８へ案内する案内部材６８が設けられている。
【００４９】
一次転写ロール５４は、それぞれに対応する現像器４６により感光体４２の表面に形成された現像剤像を、中間転写体５２に転写する。
【００５０】
中間転写体清掃装置５８は、転写部６４で記録媒体に対して各色の現像剤像が転写された後に、中間転写体５２の表面に残留する各色の現像剤を掻き落とす掻き落とし部材５８ａを有する。掻き落とし部材５８ａによって掻き落とされた現像剤は、中間転写体清掃装置５８の本体内に回収される。
【００５１】
記録媒体供給装置２２は、記録媒体を積層した状態で収納する記録媒体収納容器７２と、記録媒体収納容器７２に収納された最上位の記録媒体を抽出し、抽出した記録媒体を画像形成部２０に向けて搬送する搬送ロール７４と、記録媒体を捌き、画像形成部２０に複数枚の記録媒体が重なった状態で搬送されることを防止するリタードロール７６と、記録媒体の種類を検出する種別検出部７８と、を有する。
種別検出部７８が検出する記録媒体の種類としては、例えば、普通紙やOHPシート、厚紙、上質紙、再生紙、光沢紙等が挙げられる。
【００５２】
搬送路２４は、主搬送路８２と、反転搬送路８４とから構成される。
【００５３】
主搬送路８２は、記録媒体供給装置２２から供給された記録媒体を画像形成部２０に搬送し、画像が形成された記録媒体を排出部１４に排出する。主搬送路８２に沿って、記録媒体搬送方向上流側から順に、搬送ロール７４、リタードロール７６と、レジストロール８６と、転写部６４と、定着装置８８と、排出ロール９０とが配置されている。
【００５４】
レジストロール８６は、転写部６４に記録媒体を搬送する時機（タイミング）を調整する搬送時機調整部として用いられる。レジストロール８６は、記録媒体供給装置２２側から搬送されてきた記録媒体の先端部を一時的に停止させ、画像形成されるタイミングと合致するように記録媒体を転写部６４に向けて送り出す。
【００５５】
定着装置８８は、加熱ロール８８ａ及び加圧ロール８８ｂを有し、これら加熱ロール８８ａと加圧ロール８８ｂとの間を通過する記録媒体を加熱し加圧することで、記録媒体に現像剤像を定着する。
排出ロール９０は、定着装置８８により現像剤が定着された記録媒体を、排出部１４に排出する。
【００５６】
反転搬送路８４は、転写部６４により記録媒体の片面に現像剤像が転写された後、この面とは反対側の面に現像剤像が転写されるように反転させつつ、再度レジストロール８６へ向けてこの記録媒体を搬送する搬送路として用いられる。
反転搬送路８４に沿って、例えば二つの反転搬送ロール９８ａ、９８ｂが配置されている。
【００５７】
両面印刷する場合、主搬送路８２から排出ロール９０に搬送された記録媒体は、その後端部が排出ロール９０に挟みこまれた状態でこの排出ロール９０が逆回転することで、記録媒体が反転搬送路８４に供給される。反転搬送路８４に供給された記録媒体は、反転搬送ロール９８ａ、９８ｂによって、レジストロール８６の上流の位置へと搬送される。
【００５８】
次に、転写部６４の周辺構造の詳細及びその機能について説明する。
図２は、転写部６４周辺の概略図を示す。
図３は、転写部６４の機能構成のブロック図を示す。
【００５９】
二次転写ロール５６は接地され、基準電位点（0 V）とされている。
転写部材６０は、中間転写体５２を挟んで二次転写ロール５６と対向するように配置されている。転写部材６０には、負電圧を印加する電源１００が可変抵抗部１０２を介して接続されている。可変抵抗部１０２は、電圧制御部１０４によって抵抗を制御されるようになっている。
【００６０】
電圧制御部１０４が所定の時機に所定の抵抗となるように可変抵抗部１０２を制御することで、転写部材６０に所定の時機に所定の電圧が印加される。
また、電圧制御部１０４には、操作部８が受付けた操作が通知されるようになっている。
電圧制御部１０４には、レジストロール８６が駆動すると駆動信号が通知されるようになっている。
【００６１】
転写部材６０には、転写部６４を流れる電流を検出する電流検出部１０６が設けられている。電流検出部１０６は抵抗検出部として用いられ、この電流検出部１０６が検出する電流により、転写部６４を通過する記録媒体の抵抗が算出される。
【００６２】
転写部６４近傍には、画像形成装置本体１２内の環境状態（温度や湿度等）を検出する環境検出部１１０が設けられている。環境検出部１１０は、特に転写部６４周辺の環境を検出するように構成されている。
【００６３】
転写部６４の搬送方向下流側には、この転写部６４を通過した後の記録媒体の状態を検出する状態検出部１１２が設けられている。本実施形態において、状態検出部１１２は、転写部から搬送される記録媒体の角度（方向）を検出するようになっている。
状態検出部１１２は、転写された記録媒体に対して案内部材６８の反対側（図２において右側）に設けられている。
なお、状態検出部１１２は、転写部６４から搬送される記録媒体の先端の位置や、予め定められた長さが搬送された後の記録媒体の形状等を検出するようにしてもよい。
【００６４】
これら電流検出部１０６、環境検出部１１０、状態検出部１１２はそれぞれ、検出結果を電圧制御部１０４に通知するようになっている。同様に、電圧制御部１０４には、画素数検出部６及び種別検出部７８の検出結果が通知されるようになっている。
【００６５】
次に、電圧制御部１０４による電圧制御の詳細について説明する。
図４は、転写部材６０に印加される電圧及びその時機を説明する説明図である。なお、転写部材６０に印加する電圧は負電圧であるが、その絶対値により大小を表現する。
【００６６】
まず、記録媒体の剥離不良の特性について、画像形成装置１０を用いて説明する。
転写部材６０（中間転写体５２）に転写に要する程度の負電圧（転写電圧）が印加されると、記録媒体自体は正電荷を有するため、記録媒体が中間転写体５２側に引き寄せられるようになる。これにより、転写部６４で転写された記録媒体が案内部材６８側へ搬送されず、中間転写体５２に接したままこの中間転写体５２側に移動する剥離不良が生じる場合がある。
一方、転写部材６０への印加時機を遅らせると、記録媒体を中間転写体５２側に引き寄せにくくなるものの、記録媒体の搬送方向先端側において転写不良が生じる場合がある。
【００６７】
剥離不良は、両面印刷する場合において、定着装置８８を一度通過した後の第二の面（裏面）への転写の際に生じやすい。これは、定着装置８８を通過した記録媒体は含水率が下がり抵抗が大きくなるため静電吸着し易くなり、中間転写体５２から剥離しにくくなることに起因する。
また、第二の面への転写の際に剥離不良が生じると、第一の面に対してなされた画像形成作業や現像剤等が無駄となり、第一の面への転写の際に剥離不良が生じる場合と比較して損失が大きくなる。
【００６８】
本実施形態においては、図４に示すように転写部材６０に印加される電圧が制御されるようになっている。
転写部材６０には初期電圧(V0)が印加されている。初期電圧(V0)は負電圧であり、転写に要する電圧（以下、「転写電圧」と称する）よりも小さい値である。
【００６９】
両面印刷する際、記録媒体の第一の面（表面）が転写部６４に搬送される前に、転写部材６０に転写電圧（V1）の印加を開始する（転写電圧（V1）が立ち上がる）。
第一の面の後端が転写部６４を通過した後、転写電圧（V1）の印加を終了する（転写電圧（V1）が立ち下がる）。そして、転写部材６０には初期電圧(V0)が印加される。
このようにして、第一の面に現像剤像が転写される。
【００７０】
続いて、第二の面（裏面）が転写部６４に搬送される前に、転写部材６０に記録媒体の搬送方向先端部分に対する電圧（V21）（以下、「先端電圧」と称する）の印加を開始する（転写電圧（V21）が立ち上がる）。
第二の面の先端部分が転写部６４を通過すると、転写部材６０に転写電圧（V22）の印加を開始する（転写電圧（V22）が立ち上がる）。本実施形態においては、第二の面に転写する場合の転写電圧（V22）は、第一の面に転写する場合の転写電圧（V1）よりも大きい電圧に設定されている。
【００７１】
このように、電圧制御部１０４は、第一の面と比較して剥離不良の生じ易い第二の面への転写に際して、記録媒体の搬送に対して転写電圧が遅延して印加するように制御（以下、「遅延制御」と称する）する。
【００７２】
先端電圧（V21）は、転写される記録媒体を像保持体５２に静電吸着させる電圧よりも小さく、転写電圧（V21）、（V22）と同極性（負）の電圧に設定される。先端電圧（V21）は、例えば、剥離不良を生じさせない程度の電圧であり、転写電圧V21、V22より小さい電圧に設定される。
また、電圧（V21）は、0 Vに設定するようにしてもよい。
先端電圧（V21）をこのように設定する場合、記録媒体の二次転写ロール５６側の面（転写する面とは反対の面）に対して、この二次転写ロール５６に付着した現像剤像が二次転写ロール５６に付着（再転写）し裏面汚れとなることが抑制される。
【００７３】
先端電圧（V21）が印加される記録媒体の先端部分の搬送方向に対する長さは、画像が形成されない余白部分よりも短くなるようになっている（例えば5 - 10 mm程度）。すなわち、電圧制御部１０４は、記録媒体の第二の面の余白部分において、先端電圧（V21）と転写電圧（V22）とを切り換えるように制御する。
【００７４】
次いで、第二の面の後端が転写部６４を通過した後、転写電圧（V21）の印加を終了する（転写電圧（V21）が立ち下がる）。
そして、転写部材６０には初期電圧(V0)が印加される。
【００７５】
電圧制御部１０４は、種別検出部７８、電流検出部１０６、環境検出部１１０、状態検出部１１２、これらが第二の面への転写の前に検出した検出結果に基づいて、剥離不良が比較的生じ易い条件においては遅延制御を実行し、剥離不良が比較的生じ難い条件においては遅延制御を停止するように制御する。
遅延制御を停止した場合、第二の面には、第一の面と略同一の時機で転写電圧が印加されることとなる。
電圧制御部１０４は、検出結果として、例えば、第二の面に転写するためにレジストロール８６から搬送されるまでに検出された結果を用いる。
【００７６】
電圧制御部１０４は、種別検出部７８の検出結果、記録媒体の特性が転写電圧を印加した場合に前記像保持体から剥離し難いものであるとき、遅延制御を実行し、剥離し易いものであるとき、遅延制御を停止するように制御する。
例えば、電圧制御部１０４は、転写される記録媒体が比較的軟らかい（コシの弱い）普通紙や再生紙等の場合、遅延制御を実行し、転写される記録媒体が比較的硬い（コシの強い）OHPシートや厚紙等の場合、遅延制御を停止するように制御する。
【００７７】
電圧制御部１０４は、電流検出部１０６の検出結果、例えば、記録媒体の抵抗が予め定められた値（閾値）よりも大きい（静電吸着し易い）場合、遅延制御を実行し、抵抗が閾値以下の（静電吸着し難い）場合、遅延制御を停止するように制御する。
【００７８】
電圧制御部１０４は、環境検出部１１０の検出結果、転写電圧を印加した場合に記録媒体が中間転写体５２から剥離し難い環境状態であるとき、遅延制御を実行し、剥離し易い環境状態であるとき、遅延制御を停止するように制御する。
例えば、電圧制御部１０４は、記録媒体が中間転写体５２に比較的静電吸着し易い低温低湿の場合、遅延制御を実行し、記録媒体が中間転写体５２に比較的静電吸着し難い高温高湿の場合、遅延制御を停止するように制御する。
【００７９】
電圧制御部１０４は、状態検出部１１２の検出結果、転写部６４を通過した後の中間転写体５２からの記録媒体の剥離度合が小さい状態である場合、遅延制御を実行し、剥離度合が大きい状態である場合、遅延制御を停止するように制御する。
「剥離度合」とは、記録媒体が中間転写体５２から剥離している度合を示し、記録媒体の先端部分（あるいは搬送方向に対して所定の長さの範囲）と中間転写体５２との間隔が大きい（大きく剥離している）ほど、剥離度合は大きくなる。すなわち、剥離度合は、記録媒体が中間転写体５２から剥離せず接触している状況で最も小さくなる。
【００８０】
例えば、電圧制御部１０４は、転写部６４から搬送される記録媒体の水平方向に対する角度が、転写部材６０及び支持ロール６２ａで支持される中間転写体５２の面と水平方向とのなす角α（図２参照）の角度よりも大きい場合（記録媒体が中間転写体５２側に搬送される場合）、遅延制御を実行し、角αの角度よりも小さい場合（記録媒体が案内部材６８側に搬送される場合）、遅延制御を停止するように制御する。
【００８１】
また、電圧制御部１０４は、画素数検出部６の検出結果に基づいて、搬送方向先端に転写不良が比較的生じ難い条件においては遅延制御を実行し、転写不良が生じ易い条件においては遅延制御を停止するように制御する。
例えば、電圧制御部１０４は、画素数検出部６の第二の面に対する検出結果、記録媒体の先端部分に形成される画像の画素数（画像密度）が小さい場合、遅延制御を実行し、画素数（画像密度）が大きい場合、遅延制御を停止するように制御する。
【００８２】
電圧制御部１０４は、画素数検出部６、種別検出部７８、電流検出部１０６、環境検出部１１０、状態検出部１１２、これらの検出結果いずれかを用いて制御するようにしてもよいし、これらを組み合わせて制御するようにしてもよい。
遅延制御の実行又は停止は、操作部８を介して操作者によって操作されるようにしてもよい。
【００８３】
第二の面に対する先端電圧（V21）の値や、転写電圧（V22）を印加する時機（遅延させる時間）、余白部分の長さ等は、操作部８を介して操作者によって入力される記録媒体の第二の面に対する転写電圧に関する情報に基づいて調整されるようにしてもよい。
【００８４】
上記実施形態においては、電圧制御部１０４は、検出結果に基づいて遅延制御の実行又は停止を制御する構成について説明したが、これに限らず、先端電圧（V21）の値や転写電圧（V22）の値、転写電圧（V22）を印加する時機（遅延させる時間）等のいずれか、あるいは、これらを組み合わせて変化させるように制御するようにしてもよい。
【００８５】
［第二実施形態］
次に、第二実施形態について説明する。
図５は、第二実施形態に係る転写部６４周辺の側面からの概略図を示す。
図６は、第二実施形態に係る転写部６４周辺の案内部材８６側からの概略図を示す
第一実施形態においては、状態検出部１１２が転写された記録媒体に対して案内部材６８の反対側に設けられていたのに対し、第二実施形態においては、状態検出部１２０は、転写部材６０の軸方向両端側に設けられている。
【００８６】
図６に示すように、状態検出部１２０は、発光部１２０ａと受光部１２０ｂとにより構成される。発光部１２０ａから発せられた光は、転写部材６０及び支持ロール６２ａで支持される中間転写体５２の延長線Ｌ上を通過して、受光部１２０ｂに受光されるようになっている。
【００８７】
本実施形態において電圧制御部１０４は、状態検出部１２０の検出結果、例えば、記録媒体が延長線Ｌよりも転写体５２側（図５において左側）に転写部６４から搬送される場合、遅延制御を実行し、記録媒体が延長線Ｌよりも案内部材６８側（図５において右側）に転写部６４から搬送される場合、遅延制御を停止するように制御する。
【符号の説明】
【００８８】
６    画素数検出部
１０    画像形成装置
２０    画像形成部
２４    搬送路
３０    画像形成装置
３４    転写装置
５２    中間転写体
５６    二次転写ロール
６０    転写部材
６４    転写部
７８    種別検出部
８２    主搬送路
８４    反転搬送路
８６    レジストロール
１００    電源
１０２    可変抵抗部
１０４    電圧制御部
１０６    電流検出部
１１０    環境検出部
１１２    状態検出部
【図１】
0005743298.tif 000002
【図２】
0005743298.tif 000003
【図３】
0005743298.tif 000004
【図４】
0005743298.tif 000005
【図５】
0005743298.tif 000006
【図６】
0005743298.tif 000007